(57)【要約】【課題】記録媒体の傷等により再生エラーとなった後のビットずれによる再生エラー状態を回避することができるデータ再生装置を提供する。【解決手段】本来のＭビットデータ（シンボルデータ）に加えて、この本来のＭビットデータの前後に１ビットずつずれたＭビットデータも復調し、且つ復調データが正常に復調されたものであるかどうかを示すエラー信号を発生させ、このエラー信号を基に復調データの中から最適な品質のデータを選択する。【選択図】    図１
2004335038.tif 000002
【特許請求の範囲】
【請求項１】
Ｍビット単位のデータからなるシリアルデータ列を入力とし、再生クロック毎にシフトして、基準のＭビット領域のデータとその前後の所定ビット領域のデータからなるＮビットのパラレルデータを出力するシフトレジスタと、
前記シフトレジスタの出力を取り込んで保持し、且つこの保持したＮビットのデータから、基準のＭビット領域のデータとその前後に１ビットずつずらした複数のＭビット領域のデータを出力可能なデータ保持レジスタと、
前記データ保持レジスタへ前記シフトレジスタの出力を転送させる転送タイミング信号を前記再生クロックのＭクロック毎に１回生成して前記データ保持レジスタへ出力する転送タイミング生成手段と、
前記シフトレジスタの基準のＭビット領域において特定のパターンを検出すると、前記転送タイミング信号の出力タイミングを初期設定するための初期設定信号を前記転送タイミング生成手段へ出力するタイミング設定手段と、
前記データ保持レジスタから出力される複数のＭビットのデータをそれぞれ復調してその復調データを保持するとともに、復調データが正常に復調できなかったことを示すエラー信号を出力する復調手段と、
前記エラー信号を基に前記復調手段が保持する復調データの中から最適な品質の復調データを判断するデータ品質判断手段と、
前記データ品質判断手段の判断結果に従い前記復調手段が保持する復調データを選択して出力する選択手段と
を備えることを特徴とするデータ再生装置。
【請求項２】
前記データ品質判断手段は、入力されたエラー信号数を、そのエラー信号に対応する前記データ保持レジスタの出力領域毎にカウントしていき、そのカウント値を出力領域間で比較して、前記復調手段が保持する復調データの中から最適な品質の復調データを判断することを特徴とする請求項１記載のデータ再生装置。
【請求項３】
前記復調手段は、１つの復調回路からなり、前記データ保持レジスタの複数の出力を順次選択して復調することを特徴とする請求項１乃至２のいずれかに記載のデータ再生装置。
【請求項４】
前記復調手段は、複数の復調回路からなり、前記データ保持レジスタの複数の出力を順次切り替えて復調することを特徴とする請求項１乃至２のいずれかに記載のデータ再生装置。
【請求項５】
前記復調手段は、複数の復調回路からなり、前記データ保持レジスタの複数の出力を一部ずつ若しくは一度に並列同時に復調することを特徴とする請求項１乃至２のいずれかに記載のデータ再生装置。
【請求項６】
Ｍビット単位のデータからなるシリアルデータ列を入力とし、再生クロック毎にシフトして、基準のＭビット領域のデータとその前後の１ビット領域のデータからなる（Ｍ＋２）ビットのパラレルデータを出力するシフトレジスタと、
前記シフトレジスタの出力を取り込んで保持し、且つこの保持した（Ｍ＋２）ビットのデータから、基準のＭビット領域とその前後に１ビットずらした３つのＭビット領域のデータを出力可能なデータ保持レジスタと、
前記データ保持レジスタへ前記シフトレジスタの出力を転送させる転送タイミング信号を前記再生クロックのＭクロック毎に１回生成して前記データ保持レジスタへ出力する転送タイミング生成手段と、
前記シフトレジスタの基準のＭビット領域において特定のパターンを検出すると、前記転送タイミング信号の出力タイミングを初期設定するための初期設定信号を前記転送タイミング生成手段へ出力するタイミング設定手段と、
前記データ保持レジスタから順次出力される３通りのＭビットデータを順次復調してその復調データを保持するとともに、復調データが正常に復調できなかったことを示すエラー信号を出力する復調手段と、
前記エラー信号を基に前記復調手段が保持する３通りの復調データの中から最適な品質の復調データを判断するデータ品質判断手段と、
前記データ品質判断手段の判断結果に従い前記復調手段が保持する復調データを選択して出力する選択手段と
を備えることを特徴とするデータ再生装置。
【請求項７】
前記データ品質判断手段は、入力されたエラー信号数を、そのエラー信号に対応する前記データ保持レジスタの出力領域毎にカウントしていき、そのカウント値を出力領域間で比較して、前記復調手段が保持する３通りの復調データの中から最適な品質の復調データを判断することを特徴とする請求項６記載のデータ再生装置。
【請求項８】
請求項６記載のデータ再生装置であって、前記データ品質判断手段は、前記エラー信号を基に前記復調手段が保持する３通りの復調データの中から最適な品質の復調データを判断するとともに、前記データ保持レジスタの基準のＭビット領域の前もしくは後に１ビットずれた出力領域に対応する復調データを最適な復調データと判断すると、そのずれの方向を示す補正信号を前記タイミング設定手段へ出力し、前記タイミング設定手段は、前記補正信号に応じて前記転送タイミング信号の出力タイミングを再生クロックの１クロック分前もしくは後へずらすための設定信号を前記転送タイミング生成手段へ出力することを特徴とするデータ再生装置。
【請求項９】
前記タイミング設定手段は、
前記シフトレジスタの基準のＭビット領域において特定のパターンを検出すると検出信号を発生する検出信号発生手段と、
前記検出信号から前記転送タイミング信号の出力タイミングを初期設定するための初期設定信号を発生する初期設定信号発生手段と、
前記補正信号から前記転送タイミング信号の出力タイミングを再生クロックの１クロック分前もしくは後へずらす設定信号を発生する設定信号発生手段と、
前記初期設定信号発生手段と前記設定信号発生手段の出力の論理和をとる論理和手段と
を備えることを特徴とする請求項８記載のデータ再生装置。
【請求項１０】
前記データ品質判断手段は、入力されたエラー信号数を、そのエラー信号に対応する前記データ保持レジスタの出力領域毎にカウントしていき、そのカウント値を出力領域間で比較して、前記復調手段が保持する３通りの復調データの中から最適な品質の復調データを判断するとともに、前記データ保持レジスタの基準のＭビット領域の前もしくは後に１ビットずれた出力領域に対応する復調データを最適な復調データと判断すると、そのずれの方向を示す補正信号を前記タイミング設定手段へ出力することを特徴とする請求項８もしくは９のいずれかに記載のデータ再生装置。
【請求項１１】
Ｍビットを１単位とするシリアルデータ列を再生クロック毎にシフトし、且つ１ビットずつずれたＭビット領域のすべて若しくは一部からＭビットパラレルデータを出力可能なシフトレジスタと、
前記シフトレジスタの出力から、基準となるＭビットパラレルデータ及びその前後に１ビットずれたＭビットパラレルデータの３通りの出力を順次選択する第１の選択手段と、
前記再生クロックのＭクロック毎に前記第１の選択手段が当該３通りの出力を順次選択するための選択タイミング信号を出力する選択タイミング生成手段と、
前記シフトレジスタの所定のＭビット領域において特定のパターンを検出すると、前記選択タイミング信号の出力タイミングを初期設定するための初期設定信号を前記選択タイミング生成手段へ出力するタイミング設定手段と、
前記第１の選択手段から入力される当該３通りのＭビットのデータを順次保持するデータ保持手段と、
前記データ保持手段が保持する当該３通りのＭビットのデータを順次復調してその復調データを保持するとともに、復調データが正常に復調できなかったことを示すエラー信号を出力する復調手段と、
前記エラー信号を基に前記復調手段が保持する３通りの復調データの中から最適な品質の復調データを判断するとともに、基準となるＭビットパラレルデータの前もしくは後に１ビットずれたＭビットパラレルデータに対応する復調データを最適な復調データと判断すると、そのずれの方向を示す補正信号を前記第１の選択手段へ出力するデータ品質判断手段と、
前記データ品質判断手段の判断結果に従い前記復調手段が保持する復調データを選択して出力する第２の選択手段と
を備え、前記第１の選択手段は、前記補正信号に応じて、選択する前記シフトレジスタの出力領域を１ビット前もしくは後へずらすことを特徴とするデータ再生装置。
【請求項１２】
前記データ品質判断手段は、入力されたエラー信号数を、そのエラー信号に対応する前記シフトレジスタの出力領域毎にカウントしていき、そのカウント値を出力領域間で比較して、前記復調手段が保持する３通りの復調データの中から最適な品質の復調データを判断するとともに、基準となるＭビットパラレルデータの前もしくは後に１ビットずれたＭビットパラレルデータに対応する復調データを最適な復調データと判断すると、そのずれの方向を示す補正信号を前記第１の選択手段へ出力することを特徴とする請求項１１記載のデータ再生装置。
【発明の詳細な説明】
【０００１】
【発明の属する技術分野】
本発明は、固定長のデジタルデータを再生するデータ再生装置に関する。
【０００２】
【従来の技術】
以下、磁気テープのデジタル記録方式の１つであるデジタル・データ・ストレージ（ＤＤＳ）規格を例に、従来のデータ再生装置について説明する。
【０００３】
磁気テープに記録されているデータは、回転シリンダーのヘッドアンプにより再生され、Ａ／Ｄ（アナログ／デジタル）変換あるいはＰＲＭＬ（Ｐａｒｔｉａｌ  Ｒｅｓｐｏｎｓｅ  Ｍａｘｉｍｕｍ  Ｌｉｋｅｌｉｈｏｏｄ）方式等により２値化され、シリアルデータ列となってデータ再生装置に入力される。
【０００４】
この２値化されたシリアルデータ列は、ＤＤＳ４規格では、１０ビットを１つのシンボルとして、１ブロックあたり１３３シンボル（１３３０ビット）で構成されており、ブロックの先頭に、ブロックの先頭であることを示す特定のパターンであるシンクパターンが存在する。
【０００５】
従来のデータ再生装置は、この２値化されたシリアルデータ列をシンボルデータ毎に１０ｔｏ８変換して、８ビット単位のデータ列に復調する。
一方、ＤＤＳ４規格には、シリアルデータ列を復調するに際して部分的な記録データの不良等により再生エラーが発生した場合に、Ｃ１及びＣ２エラー訂正コードによりその不良データを復元する規格が規定されている（例えば、非特許文献１参照）。
【０００６】
しかし、記録媒体の傷等により連続して再生エラーが発生した場合には、ＰＬＬによる再生クロックと再生データの位相合わせができず、再生クロック周波数が大幅に変動してしまい、傷等の存在するデータ再生不能な区間から傷等の無いデータ再生可能な区間へ再生位置が移っても位相を合わすことができず、再生エラー状態から復帰できない場合がある。
【０００７】
そこで、従来のデータ再生装置では、この再生エラー区間における再生クロック周波数の大幅変動を防ぐために、データ再生が可能になるまで再生クロック周波数を固定し、データ再生が可能となってから再度再生クロックと再生データの位相合わせを行っていた。
【０００８】
しかし、再生クロック周波数を固定した後に再度位相合わせを行う場合、再生クロックと再生データの位相合わせタイミングによってはビットのずれを生じることがある。これは、例えば、１０ビット区間のバーストエラーに対して再生クロック周波数を固定したときに、クロック数が９クロックあるいは１１クロックに近い値であった場合、データ再生時に、本来の１０クロックではなく１クロック少ないあるいは１クロック多い状態で位相が合わせられるためである。
【０００９】
このようにビットずれが生じると、１シンボル（１０ビット）のデータに対して１ビットずれた１０ビットのデータを復調してしまい、本来とは全く異なる値の復調データが出力されることになる。
【００１０】
そこでこのビットずれによる再生エラー状態から復帰するために、図１１に示すデータ再生装置が提案されている。図１１は従来のデータ再生装置の概略ブロック図である。
【００１１】
図１１において、１１００は再生クロックに同期して再生データ（シリアルデータ列）をシフトし、１０ビットのパラレルデータに変換する入力シフトレジスタ、１１０１は後述するタイミング生成手段が生成するシンボルクロックに同期して、入力シフトレジスタ１１００から１０ビットのパラレルデータを取り込むデータ保持レジスタである。
【００１２】
また、１１０２は再生クロックを基にシンボルクロックと変換クロックを生成するタイミング生成手段である。シンボルクロックは、再生クロックの１０クロック毎に１回入力シフトレジスタ１１００の１０ビットパラレルデータ出力をデータ保持レジスタ１１０１に転送するためのクロックであり、変換クロックは、再生クロックの１０クロック毎に１回データ保持レジスタ１１０１の保持データ（シンボルデータ）を後述する復調器により１０ｔｏ８変換するためのクロックである。
【００１３】
また、１１０３は入力シフトレジスタ１１００の１０ビットパラレルデータ出力からブロックの先頭を示すシンクパターンを検出すると、タイミング生成手段１１０２を初期化する初期化信号を出力するシンクパターン検出手段である。
【００１４】
また、１１０４は変換クロックに同期して、データ保持レジスタ１１０１が保持する１０ビットのデータを１０ｔｏ８変換しその復調データ（８ビット）を出力する復調器である。
【００１５】
次に、記録媒体の傷等により再生エラーとなった後にビットずれが生じた場合における、この従来のデータ再生装置の動作について説明する。
シンクパターン検出手段１１０３は、ビットずれが生じた後、次のブロックの先頭を示すシンクパターンを入力シフトレジスタ１１００の１０ビットパラレルデータ出力から検出すると、タイミング生成手段１１０２に対して初期化信号を発生する。
【００１６】
タイミング生成手段１１０２は、この初期化信号を基準に再生クロックをカウントし、シンボルクロックと変換クロックを生成する。つまり、入力シフトレジスタ１１００においてシンクパターンが検出されたタイミングでシンボルクロックと変換クロックを初期設定することにより、本来の１０ビットパラレルデータ（シンボルデータ）がデータ保持レジスタ１１０１に転送され、シンボルデータが復調器１１０４により復調されるようにする。
【００１７】
復調器１１０４は、変換クロックに同期してデータ保持レジスタ１１０１が保持するシンボルデータを１０ｔｏ８変換して出力する。
以上のように、この従来のデータ再生装置は、記録媒体の傷等により再生エラーとなった後にビットずれが生じた場合であっても、シンクパターン検出手段においてブロックの先頭を示すシンクパターンを検出し、この検出タイミングでシンボルクロック及び変換クロックを初期設定することにより、エラーが発生したブロックの次のブロックからは本来の１０ビットデータ（シンボルデータ）がデータ保持レジスタに保持されて復調されるようにし、ビットずれによる再生エラー状態からの復帰を図っていた（例えば、特許文献１参照。）。
【００１８】
しかしながら、従来のデータ再生装置では、シンクパターンを検出したときに再生エラー状態からの復帰処理が行われるので、傷等によるエラー区間が１０ビット程度であっても、ビットずれが生じた場合には１ブロックにわたって再生エラー状態となり、更に次のブロックのシンクパターンが検出できなかった場合には複数ブロックにわたって再生エラー状態が続くという問題があった。
【００１９】
【非特許文献１】
Ｓｔａｎｄａｒｄ  ＥＣＭＡ−２８８  ３，８１  ｍｍ  Ｗｉｄｅ  Ｍａｇｎｅｔｉｃ  Ｔａｐｅ  Ｃａｒｔｒｉｄｇｅ  ｆｏｒ  Ｉｎｆｏｒｍａｔｉｏｎ  Ｉｎｔｅｒｃｈａｎｇｅ  −  Ｈｅｌｉｃａｌ  Ｓｃａｎ  Ｒｅｃｏｒｄｉｎｇ  −  ＤＤＳ−４  Ｆｏｒｍａｔ  、ｐ．４７−４９
【００２０】
【特許文献１】
特開平９−１３９０２１号公報（第４−６頁）
【００２１】
【発明が解決しようとする課題】
本発明は、上記問題点に鑑み、本来の１０ビットデータ（シンボルデータ）に加えて、この本来の１０ビットデータの前後に１ビットずつずれた１０ビットデータも復調し、且つ復調データが正常に復調されたものであるかどうかを示すエラー信号を発生させ、このエラー信号を基に復調データの中から最適な品質のデータを選択することにより、記録媒体の傷等により再生エラーとなった後のビットずれによる再生エラー状態を回避することができるデータ再生装置を提供することを目的とする。
【００２２】
【課題を解決するための手段】
本発明の請求項１記載のデータ再生装置は、Ｍビット単位のデータからなるシリアルデータ列を入力とし、再生クロック毎にシフトして、基準のＭビット領域のデータとその前後の所定ビット領域のデータからなるＮビットのパラレルデータを出力するシフトレジスタと、前記シフトレジスタの出力を取り込んで保持し、且つこの保持したＮビットのデータから、基準のＭビット領域のデータとその前後に１ビットずつずらした複数のＭビット領域のデータを出力可能なデータ保持レジスタと、前記データ保持レジスタへ前記シフトレジスタの出力を転送させる転送タイミング信号を前記再生クロックのＭクロック毎に１回生成して前記データ保持レジスタへ出力する転送タイミング生成手段と、前記シフトレジスタの基準のＭビット領域において特定のパターンを検出すると、前記転送タイミング信号の出力タイミングを初期設定するための初期設定信号を前記転送タイミング生成手段へ出力するタイミング設定手段と、前記データ保持レジスタから出力される複数のＭビットのデータをそれぞれ復調してその復調データを保持するとともに、復調データが正常に復調できなかったことを示すエラー信号を出力する復調手段と、前記エラー信号を基に前記復調手段が保持する復調データの中から最適な品質の復調データを判断するデータ品質判断手段と、前記データ品質判断手段の判断結果に従い前記復調手段が保持する復調データを選択して出力する選択手段とを備えることを特徴とする。
【００２３】
本発明の請求項２記載のデータ再生装置は、請求項１記載のデータ再生装置であって、前記データ品質判断手段は、入力されたエラー信号数を、そのエラー信号に対応する前記データ保持レジスタの出力領域毎にカウントしていき、そのカウント値を出力領域間で比較して、前記復調手段が保持する復調データの中から最適な品質の復調データを判断することを特徴とする。
【００２４】
本発明の請求項３記載のデータ再生装置は、請求項１乃至２のいずれかに記載のデータ再生装置であって、前記復調手段は、１つの復調回路からなり、前記データ保持レジスタの複数の出力を順次選択して復調することを特徴とする。
【００２５】
本発明の請求項４記載のデータ再生装置は、請求項１乃至２のいずれかに記載のデータ再生装置であって、前記復調手段は、複数の復調回路からなり、前記データ保持レジスタの複数の出力を順次切り替えて復調することを特徴とする。
【００２６】
本発明の請求項５記載のデータ再生装置は、請求項１乃至２のいずれかに記載のデータ再生装置であって、前記復調手段は、複数の復調回路からなり、前記データ保持レジスタの複数の出力を一部ずつ若しくは一度に並列同時に復調することを特徴とする。
【００２７】
本発明の請求項６記載のデータ再生装置は、Ｍビット単位のデータからなるシリアルデータ列を入力とし、再生クロック毎にシフトして、基準のＭビット領域のデータとその前後の１ビット領域のデータからなる（Ｍ＋２）ビットのパラレルデータを出力するシフトレジスタと、前記シフトレジスタの出力を取り込んで保持し、且つこの保持した（Ｍ＋２）ビットのデータから、基準のＭビット領域とその前後に１ビットずらした３つのＭビット領域のデータを出力可能なデータ保持レジスタと、前記データ保持レジスタへ前記シフトレジスタの出力を転送させる転送タイミング信号を前記再生クロックのＭクロック毎に１回生成して前記データ保持レジスタへ出力する転送タイミング生成手段と、前記シフトレジスタの基準のＭビット領域において特定のパターンを検出すると、前記転送タイミング信号の出力タイミングを初期設定するための初期設定信号を前記転送タイミング生成手段へ出力するタイミング設定手段と、前記データ保持レジスタから順次出力される３通りのＭビットデータを順次復調してその復調データを保持するとともに、復調データが正常に復調できなかったことを示すエラー信号を出力する復調手段と、前記エラー信号を基に前記復調手段が保持する３通りの復調データの中から最適な品質の復調データを判断するデータ品質判断手段と、前記データ品質判断手段の判断結果に従い前記復調手段が保持する復調データを選択して出力する選択手段とを備えることを特徴とする。
【００２８】
本発明の請求項７記載のデータ再生装置は、請求項６記載のデータ再生装置であって、前記データ品質判断手段は、入力されたエラー信号数を、そのエラー信号に対応する前記データ保持レジスタの出力領域毎にカウントしていき、そのカウント値を出力領域間で比較して、前記復調手段が保持する３通りの復調データの中から最適な品質の復調データを判断することを特徴とする。
【００２９】
本発明の請求項８記載のデータ再生装置は、請求項６記載のデータ再生装置であって、前記データ品質判断手段は、前記エラー信号を基に前記復調手段が保持する３通りの復調データの中から最適な品質の復調データを判断するとともに、前記データ保持レジスタの基準のＭビット領域の前もしくは後に１ビットずれた出力領域に対応する復調データを最適な復調データと判断すると、そのずれの方向を示す補正信号を前記タイミング設定手段へ出力し、前記タイミング設定手段は、前記補正信号に応じて前記転送タイミング信号の出力タイミングを再生クロックの１クロック分前もしくは後へずらすための設定信号を前記転送タイミング生成手段へ出力することを特徴とする。
【００３０】
本発明の請求項９記載のデータ再生装置は、請求項８記載のデータ再生装置であって、前記タイミング設定手段は、前記シフトレジスタの基準のＭビット領域において特定のパターンを検出すると検出信号を発生する検出信号発生手段と、前記検出信号から前記転送タイミング信号の出力タイミングを初期設定するための初期設定信号を発生する初期設定信号発生手段と、前記補正信号から前記転送タイミング信号の出力タイミングを再生クロックの１クロック分前もしくは後へずらす設定信号を発生する設定信号発生手段と、前記初期設定信号発生手段と前記設定信号発生手段の出力の論理和をとる論理和手段とを備えることを特徴とする。
【００３１】
本発明の請求項１０記載のデータ再生装置は、請求項８もしくは９のいずれかに記載のデータ再生装置であって、前記データ品質判断手段は、入力されたエラー信号数を、そのエラー信号に対応する前記データ保持レジスタの出力領域毎にカウントしていき、そのカウント値を出力領域間で比較して、前記復調手段が保持する３通りの復調データの中から最適な品質の復調データを判断するとともに、前記データ保持レジスタの基準のＭビット領域の前もしくは後に１ビットずれた出力領域に対応する復調データを最適な復調データと判断すると、そのずれの方向を示す補正信号を前記タイミング設定手段へ出力することを特徴とする。
【００３２】
本発明の請求項１１記載のデータ再生装置は、Ｍビットを１単位とするシリアルデータ列を再生クロック毎にシフトし、且つ１ビットずつずれたＭビット領域のすべて若しくは一部からＭビットパラレルデータを出力可能なシフトレジスタと、前記シフトレジスタの出力から、基準となるＭビットパラレルデータ及びその前後に１ビットずれたＭビットパラレルデータの３通りの出力を順次選択する第１の選択手段と、前記再生クロックのＭクロック毎に前記第１の選択手段が当該３通りの出力を順次選択するための選択タイミング信号を出力する選択タイミング生成手段と、前記シフトレジスタの所定のＭビット領域において特定のパターンを検出すると、前記選択タイミング信号の出力タイミングを初期設定するための初期設定信号を前記選択タイミング生成手段へ出力するタイミング設定手段と、前記第１の選択手段から入力される当該３通りのＭビットのデータを順次保持するデータ保持手段と、前記データ保持手段が保持する当該３通りのＭビットのデータを順次復調してその復調データを保持するとともに、復調データが正常に復調できなかったことを示すエラー信号を出力する復調手段と、前記エラー信号を基に前記復調手段が保持する３通りの復調データの中から最適な品質の復調データを判断するとともに、基準となるＭビットパラレルデータの前もしくは後に１ビットずれたＭビットパラレルデータに対応する復調データを最適な復調データと判断すると、そのずれの方向を示す補正信号を前記第１の選択手段へ出力するデータ品質判断手段と、前記データ品質判断手段の判断結果に従い前記復調手段が保持する復調データを選択して出力する第２の選択手段とを備え、前記第１の選択手段は、前記補正信号に応じて、選択する前記シフトレジスタの出力領域を１ビット前もしくは後へずらすことを特徴とする。
【００３３】
本発明の請求項１２記載のデータ再生装置は、請求項１１記載のデータ再生装置であって、前記データ品質判断手段は、入力されたエラー信号数を、そのエラー信号に対応する前記シフトレジスタの出力領域毎にカウントしていき、そのカウント値を出力領域間で比較して、前記復調手段が保持する３通りの復調データの中から最適な品質の復調データを判断するとともに、基準となるＭビットパラレルデータの前もしくは後に１ビットずれたＭビットパラレルデータに対応する復調データを最適な復調データと判断すると、そのずれの方向を示す補正信号を前記第１の選択手段へ出力することを特徴とする。
【００３４】
このように、本発明によれば、記録媒体の傷等により再生エラーとなった後にビットずれが生じた場合であっても、最適な品質の復調データを出力することができ、ビットずれによる再生エラー状態を回避することができる。
【００３５】
【発明の実施の形態】
以下、本発明の実施の形態について、図面を参照して説明する。なお、ここで示す実施の形態はあくまでも一例であって、必ずしも以下の実施の形態に限定されるものではない。
【００３６】
（実施の形態１）
以下、本実施の形態１について図１及び図２を用いて説明する。本実施の形態１では、ＥＣＭＡ−２８８（ＤＤＳ４）規格に沿って８ビットを１シンボルとするデータに２ビットを付加して１０ビットに変調（８ｔｏ１０変換）したデータが再生データとして入力される。
【００３７】
図１は本実施の形態１におけるデータ再生装置の概略ブロック図である。図１において、１００は再生クロックに同期して再生データ（シリアルデータ列）をシフトし、パラレルデータ列に変換する入力シフトレジスタである。本実施の形態１では、入力シフトレジスタ１００は、基準のＭビットのレジスタ（本実施の形態１では、１０ビット単位のデータが入力されるので、Ｍ＝１０となる。）の前後に最大ｎビット（ｎ＝Ｍ／２；本実施の形態１ではｎ＝５となる。）のレジスタを設けた、合計Ｎビット（本実施の形態１ではＮ＝２０。）のレジスタで構成される。
【００３８】
また、１０１は入力シフトレジスタ１００から出力される２０ビットのパラレルデータ列を、後述するタイミング生成手段が生成するシンボルクロックのクロックパルス（転送タイミング信号）毎に取り込む２０ビットのデータ保持レジスタである。データ保持レジスタ１０１は、基準の１０ビット領域および、この基準の１０ビット領域の前後に１ビットずつ最大５ビットずらした１０通りの１０ビット領域から１０ビットのデータを出力する構成となっている。
【００３９】
また、１０２は再生クロックを基にシンボルクロック（転送タイミング信号）、選択タイミング信号、復調タイミング信号、復調エラー入力タイミング信号を生成するタイミング生成手段（転送タイミング生成手段）である。
【００４０】
また、１０３は入力シフトレジスタ１００の基準の１０ビット領域においてシンクパターン（特定のパターン）を検出すると、タイミング生成手段１０２を初期化する初期化信号（初期設定信号）を出力するシンクパターン検出手段（タイミング設定手段）である。
【００４１】
また、１０４は選択タイミング信号毎に、データ保持レジスタ１０２の出力を順次選択する第１の選択手段、１０５は復調タイミング信号毎に、第１の選択手段１０４から入力される１０ビットのデータを８ビットのデータに復調してその復調データを保持するとともに、復調データが正常に復調できなかったことを示す復調エラー信号を出力する復調器である。なお、本実施の形態１では、第１の選択手段１０４および復調器１０５により、復調手段が構成されている。
【００４２】
また、１０６は復調エラー入力タイミング信号毎に復調エラー信号を入力し、復調エラー信号を基に復調器１０５が保持する復調データの中から最適な品質の復調データを判断するデータ品質判断手段、１０７はデータ品質判断手段１０６の判断結果に従い復調器１０５が保持する復調データを選択して出力する第２の選択手段である。
【００４３】
次に、このデータ再生装置の動作について説明する。シンクパターン検出手段１０３は、入力シフトレジスタ１００の２０ビットのレジスタのうちの前後の５ビットの出力を除く１０ビットのレジスタ（基準の１０ビット領域）に取り込まれたデータ中にシンクパターンを検出すると、初期化信号（初期設定信号）を出力する。
【００４４】
タイミング生成手段１０２は、初期化信号を基準に再生クロックをカウントし、再生クロックの１０クロック毎に１回シンボルクロックパルス（転送タイミング信号）を発生する。つまり、入力シフトレジスタ１００の基準の１０ビット領域においてシンクパターンが検出されたタイミングでシンボルクロックを初期設定することにより、本来の１０ビットデータ（シンボルデータ）がデータ保持レジスタ１０１の基準の１０ビット領域へ転送されるようにする。
【００４５】
また、タイミング生成手段１０２は、初期化信号を基準に再生クロックをカウントし、選択タイミング信号、復調タイミング信号、復調エラー入力タイミング信号として、変換クロックを生成する。本実施の形態１では、上述したように、データ保持レジスタ１０１から１１通りのデータが出力されるので、タイミング生成手段１０２は、再生クロックの１０クロック毎に１１回変換クロックパルスを発生する。
【００４６】
また、データ保持レジスタ１０１の出力をすべて用いるのではなく、例えば１つ削除してもよい。１つ削除する場合には、再生クロックをそのまま変換クロックとして使用することができる。なお、基準の１０ビット領域から出力されるデータから最もずれた１０ビットデータを削減することが望ましい。
【００４７】
また、復調器１０５がｘ個の復調回路からなる場合には、再生クロックの１０クロック毎に（復調するデータの数）／ｘ回変換クロックパルスを発生させる。例えば、１１通りのデータを復調する場合であって、復調器１０５が１１個の復調回路からなる場合には、再生クロックの１０クロック毎に１回変換クロックパルスを発生させ、１１個の復調回路にて１１通りの１０ビットデータを並列同時に復調するようにする。なお、第１の選択手段１０４がｘ個の復調回路１０５へ１１通りの１０ビットデータを順次切り替えて入力するようにしてもよい。
【００４８】
第１の選択手段１０４は、変換クロックの変化タイミングで、データ保持レジスタ１０１の基準となる１０ビット領域および、この基準の１０ビット領域から１ビットずつ前後に最大５ビットずらした１０ビット領域の出力を、データ保持レジスタ１０１の内容が更新される前に、順次選択して復調器１０５へ入力する。
【００４９】
復調器１０５は、変換クロックの変化タイミングで、入力された１０ビットデータを復調し、８ビットの復調データを生成する（１０ｔｏ８変換）。
すなわち、復調器１０５は、復調器内部で保持している前回復調したデータの直流成分が正か負かを示すコードビットと入力された１０ビットのデータからなる１１ビットのデータをテーブル変換により８ビットのデータに変換する。このとき、入力された１０ビットデータに誤りが含まれると、正常なデータに変換されない場合がある。
【００５０】
ＥＣＭＡ−２８８（ＤＤＳ４）規格では、コードビットを除く１０ビットの全ての組み合わせ（１０２４通り）の中で正常なデータとして割り当てられている１０ビットコードは３８２通りであるため、入力された１０ビットデータが前記の３８２通りの組み合わせに存在しない場合、入力された１０ビットデータには誤りが含まれていると判断できる。
【００５１】
一方、入力された１０ビットデータに誤りが含まれる場合であっても、前記の３８２通りの組み合わせの１つに偶然一致した場合には、正しいデータではない別のデータに誤って変換されることになる。
【００５２】
このことより、
（１０２４−３８２）／１０２４≒２／３
の確率で、入力された１０ビットデータに誤りが含まれるか否かを判断できる。
【００５３】
復調器１０５は、変換クロックの変化タイミングで上記テーブル変換の処理を行い、入力された１０ビットデータが前記の３８２通りの組み合わせに存在しないときには、特定の８ビット値を保持し、同時にこのデータが復調エラーであることを示す復調エラー信号を出力する。
【００５４】
なお、本実施の形態１では、再生クロックの１０クロック毎に１１回テーブル変換を行う必要があるが、復調器１０５のテーブル変換処理速度が再生クロックよりも遅い場合には、上述したように複数の復調回路を並列で持つようにすればよい。
【００５５】
データ品質判断手段１０６は、変換クロックの変化タイミングで、入力された復調エラー信号数を、その復調エラー信号に対応するデータ保持レジスタ１０１の出力領域毎にカウントしていく。図２にデータ品質判断手段１０６の内部構成を示す。
【００５６】
データ品質判断手段１０６には、データ保持レジスタ１０１の出力領域毎に復調エラー計測手段２０２が設けられており、復調結果入力処理手段２０１が変換クロックの変化タイミングで、入力された復調エラー信号を、その復調エラー信号に対応する復調エラー計測手段２０２へ入力する。データ品質判断処理手段２０３は各復調エラー計測手段２０２のカウント値（復調エラー数）を比較して、復調器１０５が保持する復調データの中から最適な品質の復調データを判断し、その復調データを選択させる選択信号を第２の選択手段１０７へ出力する。
【００５７】
復調エラー計測手段２０２は、第２の選択手段から所定回数復調データが出力される毎にカウント値をクリアし、データ品質判断処理手段２０３は、各復調エラー計測手段２０２のカウント値をクリアの段階で比較し、基準の１０ビット領域に近く最もカウント値（復調エラー数）の少ない復調データが選択されるように選択信号を生成する。
【００５８】
第２の選択手段１０７は、復調器１０５が保持する復調データの中から選択信号に従うデータを選択して出力する。
このデータ再生装置では、入力シフトレジスタ１００の基準の１０ビット領域においてシンクパターンが検出されたタイミングでシンボルクロックを初期設定するので、再生データが正常な間は、データ保持レジスタ１０１の基準の１０ビット領域にシンボルデータが転送される。そのため、再生データが正常な間は、データ保持レジスタ１０１の基準の１０ビット領域に対応する復調エラー計数手段２０２のカウント値（復調エラー数）が最小となる。従って、再生データが正常な間は、本来の１０ビットデータ（シンボルデータ）を復調したデータが選択されることになる。
【００５９】
一方、記録媒体の傷等によってバーストエラーが発生した後、数ビットのビットずれが生じた場合には、そのずれに応じた領域に対応する復調エラー計数手段２０２のカウント値（復調エラー数）が最小となる確率が高く、最も確からしい１０ビットデータを復調したデータが選択されることになる。
【００６０】
また、第２の選択手段１０７から所定回数復調データが出力される毎にカウント値をクリアし、このクリアの段階でカウント値を比較することにより、ずれに応じた領域に対応する復調エラーを選択する確率を向上させることができる。
【００６１】
以上のように、本実施の形態１のデータ再生装置によれば、復調エラー数のより少ない復調データを選択して出力するので、記録媒体の傷等により再生エラーが発生した後、再生データにビットずれが生じた場合であっても、最も確からしい１０ビットデータの復調データを出力することができ、正常なデータの再生確率を向上させ、装置のデータ再生能力の向上を図ることができる。
【００６２】
（実施の形態２）
以下、本実施の形態２について図３〜図５を用いて説明する。本実施の形態２においても、ＥＣＭＡ−２８８（ＤＤＳ４）規格に沿って８ビットを１シンボルとするデータに２ビットを付加して１０ビットに変調（８ｔｏ１０変換）したデータが再生データとして入力される。
【００６３】
図３は本実施の形態２におけるデータ再生装置の概略ブロック図である。図３において、３００は再生クロックに同期して再生データ（シリアルデータ列）をシフトし、パラレルデータ列に変換する入力シフトレジスタである。本実施の形態２では、入力シフトレジスタ３００は、基準のＭビットのレジスタ（本実施の形態２では、１０ビット単位のデータが入力されるので、Ｍ＝１０となる。）の前後に１ビットのレジスタを設けた、合計（Ｍ＋２）ビット（本実施の形態１では１２ビット。）のレジスタで構成される。
【００６４】
また、３０１は入力シフトレジスタ３００から出力される１２ビットのパラレルデータ列を、後述するタイミング生成手段が生成するシンボルクロックのクロックパルス（転送タイミング信号）毎に取り込む１２ビットのデータ保持レジスタである。データ保持レジスタ３０１は、基準の１０ビット領域（ＤＩＮ［１０：１］）および、この基準の１０ビット領域の前後に１ビットずつずらした１０ビット領域（ＤＩＮ［１１：２］、ＤＩＮ［９：０］）から１０ビットのデータを出力する構成となっている。
【００６５】
また、３０２は再生クロックを基にシンボルクロック（転送タイミング信号）、選択タイミング信号、復調タイミング信号、復調エラー入力タイミング信号を生成するタイミング生成手段（転送タイミング生成手段）である。
【００６６】
また、３０３は入力シフトレジスタ３００の基準の１０ビット領域（ＤＩＮ［１０：１］）においてシンクパターン（特定のパターン）を検出すると、タイミング生成手段３０２を初期化する初期化信号（初期設定信号）を出力するシンクパターン検出手段（タイミング設定手段）である。
【００６７】
また、３０４は選択タイミング信号毎に、データ保持レジスタ３０２の出力（ＤＩＮ［１１：２］、ＤＩＮ［１０：１］、ＤＩＮ［９：０］）を順次選択する第１の選択手段、３０５は復調タイミング信号毎に、第１の選択手段３０４から入力される１０ビットのデータを８ビットのデータに復調してその復調データを保持するとともに、復調データが正常に復調できなかったことを示す復調エラー信号を出力する復調器である。なお、本実施の形態２では、第１の選択手段３０４および復調器３０５により、復調手段が構成されている。
【００６８】
また、３０６は復調エラー入力タイミング信号毎に復調エラー信号を入力し、復調エラー信号を基に復調器３０５が保持する復調データの中から最適な品質の復調データを判断するデータ品質判断手段、３０７はデータ品質判断手段３０６の判断結果に従い復調器３０５が保持する復調データを選択して出力する第２の選択手段である。
【００６９】
次に、このデータ再生装置の動作について説明する。シンクパターン検出手段３０３は、入力シフトレジスタ３００の基準の１０ビット領域（ＤＩＮ［１０：１］）に取り込まれたデータ中にシンクパターンを検出すると、初期化信号（初期設定信号）を出力する。
【００７０】
タイミング生成手段３０２は、初期化信号を基準に再生クロックをカウントし、再生クロックの１０クロック毎に１回シンボルクロックパルス（転送タイミング信号）を発生する。つまり、入力シフトレジスタ３００の基準の１０ビット領域においてシンクパターンが検出されたタイミングでシンボルクロックを初期設定することにより、本来の１０ビットデータ（シンボルデータ）がデータ保持レジスタ３０１の基準の１０ビット領域へ転送されるようにする。
【００７１】
また、タイミング生成手段３０２は、初期化信号を基準に再生クロックをカウントし、選択タイミング信号、復調タイミング信号、復調エラー入力タイミング信号として、変換クロックを生成する。本実施の形態２では、上述したように、データ保持レジスタ３０１から３通りのデータが出力されるので、タイミング生成手段３０２は、再生クロックの１０クロック毎に３回変換クロックパルスを生成する。
【００７２】
第１の選択手段３０４は、変換クロックの変化タイミングで、データ保持レジスタ３０１の基準となる１０ビット領域（ＤＩＮ［１０：１］）および、この基準の１０ビット領域から１ビットずつ前後にずらした１０ビット領域（ＤＩＮ［１１：２］、ＤＩＮ［９：０］）の出力を、データ保持レジスタ３０１の内容が更新される前に、順次選択して復調器３０５へ入力する。
【００７３】
復調器３０５は、実施の形態１と同様に、変換クロックの変化タイミングでテーブル変換処理を行い、入力された１０ビットデータが前記の３８２通りの組み合わせに存在しないときには、特定の８ビット値を保持し、同時にこのデータが復調エラーであることを示す復調エラー信号を出力する。
【００７４】
データ品質判断手段３０６は、変換クロックの変化タイミングで、入力された復調エラー信号数を、その復調エラー信号に対応するデータ保持レジスタ３０１の出力領域毎にカウントしていき、そのカウント値（復調エラー数）を出力領域間で比較して、復調器３０５が保持する３通りの復調データの中から最適な品質の復調データを判断し、その復調データを選択させる選択信号を第２の選択手段３０７へ出力する。なお、このデータ品質判断手段３０６の内部構成は、実施の形態１のデータ品質判断手段と同様であり、復調データ計数手段は３つ設けられている。
【００７５】
第２の選択手段３０７は、復調器３０５が保持する復調データの中から選択信号に従うデータを選択して出力する。
図４に、基準の１０ビット領域に対応する復調エラー信号と前後１ビットずれた１０ビット領域に対応する復調エラー信号の一例を示す。ここでは、再生区間４０１において再生データが正常な状態にあり、再生エラー区間４０２においてバーストエラーが発生し、再生区間４０３において再生データが再生クロック１クロック分進み、再生区間４０４の先頭でシンクパターンが検出される場合を例に、説明を行う。
【００７６】
再生区間４０１においては、再生データが正常な状態にあるので、基準の１０ビット領域ＤＩＮ［１０：１］に対応する復調エラー信号１は殆ど発生せず、前後に１ビットずれた１０ビット領域ＤＩＮ［９：０］およびＤＩＮ［１１：２］に対応する復調エラー信号２および３が、約２／３の確率で発生する。従って、再生区間４０１においては、基準の１０ビット領域ＤＩＮ［１０：１］に対応する復調エラー数が最も少なくなるので、この領域ＤＩＮ［１０：１］の出力を復調したデータが選択出力される。
【００７７】
再生エラー区間４０２においては、従来と同様に再生クロック周波数が固定され、各復調エラー信号が多発する。
再生区間４０３においては、再生データが再生クロック１クロック分進むので、領域ＤＩＮ［９：０］に対応する復調エラー信号２が殆ど発生しなくなり、領域ＤＩＮ［１０：１］および領域ＤＩＮ［１１：２］に対応する復調エラー信号１および３が、約２／３の確率で発生する。従って、再生区間４０３においては、領域ＤＩＮ［９：０］に対応する復調エラー数が最も少なくなるので、この領域ＤＩＮ［９：０］の出力を復調したデータが選択出力される。
【００７８】
再生区間４０４では、入力シフトレジスタ３００の基準の１０ビット領域ＤＩＮ［１０：１］においてシンクパターンが検出されたタイミングでシンボルクロックが初期設定されるので、基準の１０ビット領域に対応する復調エラー信号１が殆ど発生しない状態へ復帰する。従って、再生区間４０４においては、基準の１０ビット領域ＤＩＮ［１０：１］に対応する復調エラー数が最も少なくなるので、この領域ＤＩＮ［１０：１］の出力を復調したデータが選択出力される。
【００７９】
図５は、図４とは逆に、再生区間５０３において、再生データが再生クロック１クロック分遅れた場合を示している。
以上のように、本実施の形態２のデータ再生装置によれば、最も頻出する１ビットずれに対応することができる。また、基準の１０ビット領域及びその前後に１ビットずれた１０ビット領域に対応するデータのみを扱うので、回路規模を抑えることができる。また、復調器のテーブル変換処理速度が再生クロックよりも遅い場合であっても、複数の復調回路を設けずに済む。
【００８０】
（実施の形態３）
以下、本実施の形態３について図６〜図９を用いて説明する。なお、前述した実施の形態２と同じ構成を有する部材には同一符号を付記して、説明を省略する。
【００８１】
本実施の形態３におけるデータ再生装置は、データ品質判断手段３０６が、復調エラー信号を基に復調器３０５の保持する３通りの復調データの中から最適な品質の復調データを判断するとともに、データ保持レジスタ３０１の基準の１０ビット領域（ＤＩＮ［１０：１］）の前もしくは後に１ビットずれた出力領域（ＤＩＮ［９：０］、ＤＩＮ［１１：２］）に対応する復調データを最適な復調データと判断すると、そのずれの方向を示す補正信号をシンクパターン検出手段（タイミング設定手段）３０３へ出力し、シンクパターン検出手段３０３が、この補正信号に応じてシンボルクロック（転送タイミング信号）の出力タイミングを再生クロックの１クロック分前もしくは後へずらす初期化信号（設定信号）をタイミング生成手段（転送タイミング生成手段）３０２へ出力する点が、実施の形態２におけるデータ再生装置と異なる。
【００８２】
図７に、本実施の形態３におけるシンクパターン検出手段３０３の内部構成図を示す。図７において、７０１は入力シフトレジスタ３００の基準の１０ビット領域（ＤＩＮ［１０：１］）においてシンクパターン（特定のパターン）を検出すると検出信号を発生するシンクパターン検出信号発生手段、７０２はこの検出信号からタイミング生成手段３０２を初期化する初期化信号（初期設定信号）を発生する第１の初期化信号発生手段（初期設定信号発生手段）、７０３はデータ品質判断手段３０６から出力される補正信号に応じてシンボルクロック及び変換クロックの出力タイミングを再生クロックの１クロック分前もしくは後へずらす初期化信号（設定信号）を発生する第２の初期化信号発生手段（設定信号発生手段）、７０４は初期化信号発生手段７０２、７０３の出力の論理和をとる論理和手段である。
【００８３】
当該データ再生装置は再生クロックを基準クロックとして動作しており、シンクパターン検出手段は、入力シフトレジスタの基準の１０ビット領域においてシンクパターンを検出したタイミングでタイミング生成手段が再生クロックのクロック数をカウントするように初期化信号を発生させ、シンボルクロックの出力タイミングを補正している。そこで、本実施の形態３では、シンクパターン検出手段を２入力１出力とし、且つ論理和手段を設け、入力された補正信号に応じて、タイミング生成手段が再生クロックを１クロック分前もしくは後へずらしてカウントするように初期化信号（設定信号）を発生するようにした。このような簡易な構成により、ビットずれが発生しても、早期に、データ保持レジスタの基準の１０ビット領域に対応する復調データが最適な品質の復調データとして選択されるようになる。
【００８４】
また、図８に、本実施の形態３におけるデータ品質判断手段３０６の内部構成図を示す。このデータ品質判断手段３０６は、データ品質判断処理手段８０３が、復調エラー数を基に復調器３０５の保持する３通りの復調データの中から最適な品質の復調データを判断するとともに、データ保持レジスタ３０１の基準の１０ビット領域の前もしくは後に１ビットずれた出力領域に対応する復調データを最適な復調データと判断すると、シンボルクロックの出力タイミングをずらす方向を示す補正信号を出力する。
【００８５】
図９に、基準の１０ビット領域に対応する復調エラー信号と前後１ビットずれた１０ビット領域に対応する復調エラー信号の一例を示す。ここでは、図４と同様に、再生区間４０１において再生データが正常な状態にあり、再生エラー区間４０２においてバーストエラーが発生し、再生区間４０３において再生データが再生クロック１クロック分進み、再生区間４０４の先頭でシンクパターンが検出される場合を例に、説明を行う。
【００８６】
再生区間４０１においては、再生データが正常な状態にあるので、基準の１０ビット領域ＤＩＮ［１０：１］に対応する復調エラー信号１は殆ど発生せず、前後に１ビットずれた１０ビット領域ＤＩＮ［９：０］およびＤＩＮ［１１：２］に対応する復調エラー信号２および３が、約２／３の確率で発生する。従って、再生区間４０１においては、基準の１０ビット領域ＤＩＮ［１０：１］に対応する復調エラー数が最も少なくなるので、この領域ＤＩＮ［１０：１］の出力を復調したデータが選択出力される。
【００８７】
再生エラー区間４０２においては、従来と同様に再生クロック周波数が固定され、各復調エラー信号が多発する。
再生区間４０３においては、再生データが再生クロック１クロック分進むので、領域ＤＩＮ［９：０］に対応する復調エラー信号２が殆ど発生しなくなり、領域ＤＩＮ［１０：１］および領域ＤＩＮ［１１：２］に対応する復調エラー信号１および３が、約２／３の確率で発生する。
【００８８】
データ品質判断処理手段８０３は、最適な復調データに対応するデータ保持レジスタ３０１の出力領域が基準の１０ビット領域ＤＩＮ［１０：１］から領域ＤＩＮ［９：０］へずれると、そのずれの方向（この例では、進める方向）を示す補正信号を出力する。
【００８９】
第２の初期化信号発生手段７０３は、この補正信号に応じて、シンボルクロックの出力タイミングが再生クロックの１クロック分前へずれるタイミングで初期化信号（設定信号）を発生させ、タイミング生成手段３０２は、この初期化信号を基準に再生クロックをカウントする。
【００９０】
この結果、早期に、基準の１０ビット領域ＤＩＮ［１０：１］に対応する復調エラー信号１が殆ど発生しない状態へ復帰することができ、基準の１０ビット領域ＤＩＮ［１０：１］の出力を復調したデータが選択出力されるようになる。
【００９１】
従って、再生区間４０４においては、入力シフトレジスタ３００の基準の１０ビット領域ＤＩＮ［１０：１］でシンクパターンが検出され、基準の１０ビット領域ＤＩＮ［１０：１］の出力を復調したデータが選択出力される。
【００９２】
以上のように、本実施の形態３のデータ再生装置によれば、シンボルクロック（転送タイミング信号）の出力タイミングを再生クロックの１クロック分前もしくは後へずらすことにより、図９の区間９００及び区間９０１に示すように、早期に、データ保持レジスタの基準の１０ビット領域に対応する復調エラー信号が殆ど発生しない状態に復帰させることができ、基準の１０ビット領域ＤＩＮ［１０：１］の出力を復調したデータが選択出力されるようになる。
【００９３】
また、ビットずれが発生しても、このようにデータ保持レジスタの基準の１０ビット領域の出力を復調したデータが最適な品質の復調データとなるので、１ブロック内で新たな再生エラーが発生し、更にビットずれが発生したとしても、再生エラーを回避することができる。
【００９４】
また、シンボルクロックを初期設定する場合と同様の動作で、シンボルクロックの出力タイミングを再生クロックの１クロック分前もしくは後へずらすことができるので、簡易な構成で実現可能となる。
【００９５】
なお、本実施の形態３では、第２の選択手段を設けたが、ビットずれ発生後、早期に、基準の１０ビット領域に対応する復調データが選択されるようになるので、基準の１０ビット領域に対応する復調データのみを出力するようにして、第２の選択手段を省いてもよい。このようにすれば、回路規模を抑えることができる。
【００９６】
また、無論、実施の形態１と同様に、基準の１０ビットのレジスタの前後に最大５ビットのレジスタを設けて入力シフトレジスタとデータ保持レジスタを構成してもよい。このようにすれば数ビットのずれが発生しても再生エラーを回避することができる。
【００９７】
（実施の形態４）
以下、本実施の形態４について図１０を用いて説明する。本実施の形態４においても、ＥＣＭＡ−２８８（ＤＤＳ４）規格に沿って８ビットを１シンボルとするデータに２ビットを付加して１０ビットに変調（８ｔｏ１０変換）したデータが再生データとして入力される。
【００９８】
図１０は本実施の形態４におけるデータ再生装置の概略ブロック図である。図１０において、１０００は再生クロックに同期して再生データ（シリアルデータ列）をシフトするＮビットの入力シフトレジスタであり、１ビットずつずれた１０ビット領域のすべて若しくは一部から１０ビットパラレルデータを出力可能な構成となっている。
【００９９】
また、１００１は入力シフトレジスタ１０００の出力から基準となる１０ビットパラレルデータ及びその前後に１ビットずれた１０ビットパラレルデータの３通りの出力を順次選択する第１の選択手段である。この第１の選択手段１００１は、後述するタイミング生成手段が生成するシンボルクロックのクロックパルス（選択タイミング信号）毎に当該３通りの出力を順次選択する。
【０１００】
また、１００２は再生クロックを基にシンボルクロック（選択タイミング信号）、転送タイミング信号、復調タイミング信号、復調エラー入力タイミング信号を生成するタイミング生成手段（選択タイミング生成手段）である。
【０１０１】
また、１００３は入力シフトレジスタ１０００の所定の１０ビット領域においてシンクパターン（特定のパターン）を検出すると、タイミング生成手段１００２を初期化する初期化信号（初期設定信号）を出力するシンクパターン検出手段（タイミング設定手段）である。
【０１０２】
また、１００４は第１の選択手段１００１から出力される１０ビットのパラレルデータ列を、転送タイミング信号毎に順次取り込む１０ビットのデータ保持レジスタである。
【０１０３】
また、１００５は復調タイミング信号毎に、データ保持レジスタ１００４の保持する１０ビットのデータを順次復調してその復調データを保持するとともに、復調データが正常に復調できなかったことを示す復調エラー信号を出力する復調器である。
【０１０４】
また、１００６は復調エラー入力タイミング信号毎に復調エラー信号を入力し、復調エラー信号を基に復調器１００５が保持する３通りの復調データの中から最適な品質の復調データを判断するとともに、基準の１０ビットパラレルデータの前もしくは後に１ビットずれた１０ビットパラレルデータに対応する復調データを最適な復調データと判断すると、そのずれの方向を示す補正信号を第１の選択手段１００１へ出力するデータ品質判断手段である。
【０１０５】
１００７はデータ品質判断手段１００６の判断結果に従い復調器１００５が保持する復調データを選択して出力する第２の選択手段である。
次に、このデータ再生装置の動作について説明する。シンクパターン検出手段１００３は、所定の１０ビット領域においてシンクパターンを検出すると、タイミング生成手段１００２に対して初期化信号（初期設定信号）を出力する。
【０１０６】
タイミング生成手段１００２は、初期化信号を基準に再生クロックをカウントし、第１の選択手段１００１が再生クロックの１０クロック毎に基準の１０ビットパラレルデータ及びその前後に１ビットずれた１０ビットパラレルデータの３通りの出力を選択するように、再生クロックの１０クロック毎に３回シンボルクロックのクロックパルス（選択タイミング信号）を発生する。また、入力シフトレジスタ１０００の所定の１０ビット領域においてシンクパターンが検出されたタイミングでシンボルクロックを初期設定するので、本来の１０ビットデータ（シンボルデータ）がこの所定の１０ビット領域から出力されるようになる。
【０１０７】
また、タイミング生成手段１００２は、初期化信号を基準に再生クロックをカウントし、転送タイミング信号、復調タイミング信号、復調エラー入力タイミング信号として、変換クロックを生成する。本実施の形態４では、上述したように、第１の選択手段１００１が３通りの１０ビットパラレルデータ出力を選択するので、タイミング生成手段１００２は、再生クロックの１０クロック毎に３回変換クロックパルスを発生する。
【０１０８】
復調器１００５は、実施の形態１と同様に、変換クロックの変化タイミングでテーブル変換処理を行い、入力された１０ビットデータが前記の３８２通りの組み合わせに存在しないときには、特定の８ビット値を保持し、同時にこのデータが復調エラーであることを示す復調エラー信号を出力する。
【０１０９】
データ品質判断手段１００６は、変換クロックの変化タイミングで、入力された復調エラー信号数を、その復調エラー信号に対応する入力シフトレジスタ１０００の出力領域毎にカウントしていき、そのカウント値（復調エラー数）を出力領域間で比較して、復調器１００５が保持する３通りの復調データの中から最適な品質の復調データを判断し、その復調データを選択させる選択信号を第２の選択手段１００７へ出力する。
【０１１０】
また、データ品質判断手段１００６は、基準の１０ビットパラレルデータに対して１ビット前もしくは後にずれた１０ビットパラレルデータの復調データが最適な品質の復調データと判断されたときには、そのずれの方向を示す補正信号を第１の選択手段１００１へ出力する。
【０１１１】
第１の選択手段１００１は、ずれの方向に応じて、選択する出力領域を１ビット前もしくは後の出力領域に切り替える。このようにすれば、基準の１０ビットパラレルデータの復調データが最適な品質の復調データとなる状態へ早期に復帰することができる。
【０１１２】
第２の選択手段１００７は、復調器１００５が保持する復調データの中から選択信号に従うデータを選択して出力する。
以上のように、本実施の形態４のデータ再生装置によれば、選択する出力領域の組み合わせを切り替えることにより、ビットずれが発生しても、基準の１０ビットパラレルデータの復調データが最適な品質の復調データとなる状態へ早期に復帰することができる。
【０１１３】
また、ビットずれが発生しても、このように基準の１０ビットパラレルデータの復調データが最適な品質の復調データとなるので、１ブロック内で新たな再生エラーが発生し、更にビットずれが発生したとしても、再生エラーを回避することができる。
【０１１４】
なお、本実施の形態４では、第２の選択手段を設けたが、ビットずれ発生後、早期に、基準の１０ビットパラレルデータの復調データが最適な品質の復調データとなるので、基準の１０ビットパラレルデータを復調したデータのみを出力するようにして、第２の選択手段を省いてもよい。このようにすれば、回路規模を抑えることができる。
【０１１５】
また、基準の１０ビットパラレルデータ及びその前後に１ビットずれた１０ビットパラレルデータを復調する構成としたが、無論、この３通りの１０ビットパラレルデータに加えて、基準の１０ビットパラレルデータに対してさらにずれた１０ビットパラレルデータを復調するようにしてもよい。基準となる１０ビットパラレルデータの前もしくは後に数ビットずれた１０ビットパラレルデータの復調データが最適な品質の復調データと判断されたときには、そのずれの方向とずれたビット数を示す補正信号を第１の選択手段へ出力し、選択する出力領域を数ビット前もしくは後へずらすようにすればよい。このようにすれば数ビットのずれが発生しても再生エラーを回避することができる。
【０１１６】
なお、実施の形態１乃至４では、磁気テープのデジタル記録方式の１つであるデジタル・データ・ストレージ（ＤＤＳ）規格を例にしたが、１６ｔｏ８変調等の固定長の記録方式を用いている光記録方式等においても同様の処理方式で実現可能である。
【０１１７】
【発明の効果】
以上のように、本発明によれば、記録媒体の傷等により再生エラーとなった後にビットずれが生じた場合であっても、最適な品質の復調データを出力することができ、ビットずれによる再生エラー状態を回避することができる。
【図面の簡単な説明】
【図１】本発明の実施の形態１におけるデータ再生装置の概略ブロック図
【図２】本発明の実施の形態１におけるデータ再生装置のデータ品質判断手段の内部構成を示す概略ブロック図
【図３】本発明の実施の形態２におけるデータ再生装置の概略ブロック図
【図４】本発明の実施の形態２における基準の１０ビット領域に対応する復調エラー信号と前後１ビットずれた１０ビット領域に対応する復調エラー信号の一例を示す図
【図５】本発明の実施の形態２における基準の１０ビット領域に対応する復調エラー信号と前後１ビットずれた１０ビット領域に対応する復調エラー信号の一例を示す図
【図６】本発明の実施の形態３におけるデータ再生装置の概略ブロック図
【図７】本発明の実施の形態３におけるデータ再生装置のシンクパターン検出手段の内部構成を示す概略ブロック図
【図８】本発明の実施の形態３におけるデータ再生装置のデータ品質判断手段の内部構成を示す概略ブロック図
【図９】本発明の実施の形態３における基準の１０ビット領域に対応する復調エラー信号と前後１ビットずれた１０ビット領域に対応する復調エラー信号の一例を示す図
【図１０】本発明の実施の形態４におけるデータ再生装置の概略ブロック図
【図１１】従来のデータ再生装置の概略ブロック図
【符号の説明】
１００、３００  入力シフトレジスタ
１０１、３０１  データ保持レジスタ
１０２、３０２  タイミング生成手段
１０３、３０３  シンクパターン検出手段
１０４、３０４  第１の選択手段
１０５、３０５  復調器
１０６、３０６  データ品質判断手段
１０７、３０７  第２の選択手段
２０１、８０１  復調結果入力処理手段
２０２、８０２  復調エラー計測手段
２０３、８０３  データ品質判断処理手段
７０１  シンクパターン検出信号発生手段
７０２  第１の初期化信号発生手段
７０３  第２の初期化信号発生手段
７０４  論理和手段
１０００  入力シフトレジスタ
１００１  第１の選択手段
１００２  タイミング生成手段
１００３  シンクパターン検出手段
１００４  データ保持レジスタ
１００５  復調器
１００６  データ品質判断手段
１００７  第２の選択手段
１１００  入力シフトレジスタ
１１０１  データ保持レジスタ
１１０２  タイミング生成手段
１１０３  シンクパターン検出手段
１１０４  復調器
【図１】
2004335038.tif 000003
【図２】
2004335038.tif 000004
【図３】
2004335038.tif 000005
【図４】
2004335038.tif 000006
【図５】
2004335038.tif 000007
【図６】
2004335038.tif 000008
【図７】
2004335038.tif 000009
【図８】
2004335038.tif 000010
【図９】
2004335038.tif 000011
【図１０】
2004335038.tif 000012
【図１１】
2004335038.tif 000013